【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
表示手段の表示画面上へのタッチ入力を検出する検出手段と、
前記検出手段で検出しているタッチ入力の移動に応じて、タッチ入力の移動によるジェスチャー操作によって実行可能な機能として割り当てられた機能のうち、該タッチ入力での現在までのタッチ位置の移動で実行可能な機能を表す情報を前記表示手段に表示するように制御する表示制御手段と、
前記検出しているタッチ入力でのタッチ位置の移動が第１の条件を満たすと、該検出しているタッチ入力でのジェスチャー操作で実行可能な機能を確定すると共に、確定された機能を識別可能に表示するように制御する確定手段と、
前記確定手段による確定の後に、該タッチ入力でのタッチ位置の移動が第２の条件を満たすと前記確定手段による確定をキャンセルするキャンセル手段と、
前記確定手段で機能が確定されている状態で前記タッチ入力が解除されると、前記確定手段で確定している機能を実行するように制御し、
前記確定手段による確定が前記キャンセル手段によってキャンセルされた状態で前記タッチ入力が解除されると、前記ジェスチャー操作に割り当てられたいずれの機能も実行しないように制御する制御手段と
を有することを特徴とする表示制御装置。
【請求項２】
前記１の条件は、前記検出しているタッチ入力でのタッチ位置の前記表示画面上の第１の方向の移動成分が所定距離以上となった後に、該タッチ位置の前記表示画面上で該第１の方向と垂直な第２の方向の移動成分が所定距離以上となることであり、
前記第２の条件は、前記確定手段による確定の後に、前記検出しているタッチ入力でのタッチ位置の前記第１の方向と１８０度反対の第３の方向の移動成分が所定距離以上となるか、該タッチ位置の前記第２の方向と１８０度反対の第４の方向の移動成分が所定距離以上となるかの少なくとも一方であることを特徴とする請求項１に記載の表示制御装置。
【請求項３】
前記第２の条件は、前記確定手段による確定の後に、前記検出しているタッチ入力でのタッチ位置が前記表示制御手段によって表示されている前記情報の表示位置から離れる方向に移動することであることを特徴とする請求項１に記載の表示制御装置。
【請求項４】
前記キャンセル手段は更に、前記確定手段による確定の後に、前記表示画面上へのタッチ入力ではない操作部材への操作を検知することによっても前記確定をキャンセルすることを特徴とする請求項１に記載の表示制御装置。
【請求項５】
前記表示制御手段の振動を検知する振動検知手段を更に有し、
前記キャンセル手段は、前記振動検知手段によって振動を検知しても前記確定をキャンセルしないことを特徴とする請求項４に記載の表示制御装置。
【請求項６】
前記表示制御手段は、前記確定手段による確定の前は、前記検出手段で検出しているタッチ入力を継続するジェスチャー操作で実行可能な機能を複数表示するように制御することを特徴とする請求項１乃至５のいずれか１項に記載の表示制御装置。
【請求項７】
前記表示制御手段は、前記キャンセル手段によって前記確定がキャンセルされると、前記情報の表示を終了するように制御することを特徴とする請求項１乃至６のいずれか１項に記載の表示制御装置。
【請求項８】
前記情報が表す機能は、前記表示手段に表示されている画像に対して実行可能な機能であり、
前記表示制御手段は、前記情報を前記画像に重畳して表示するように制御することを特徴とする請求項１乃至７のいずれか１項に記載の表示制御装置。
【請求項９】
前記表示制御手段は、前記情報を、該情報が表す機能を実行するために前記検出しているタッチ入力でのタッチ位置を移動すべき位置に表示するように制御することを特徴とする請求項１乃至８のいずれか１項に記載の表示制御装置。
【請求項１０】
前記確定手段は、前記第１の条件を満たして第１の機能を確定した後、前記検出しているタッチ入力でのタッチ位置の移動が第３の条件を満たすと、第１の機能に代えて第２の機能を確定することを特徴とする請求項１乃至９のいずれか１項に記載の表示制御装置。
【請求項１１】
表示手段の表示画面上へのタッチ入力を検出する検出ステップと、
前記検出ステップで検出しているタッチ入力の移動に応じて、タッチ入力の移動によるジェスチャー操作によって実行可能な機能として割り当てられた機能のうち、該タッチ入力での現在までのタッチ位置の移動で実行可能な機能を表す情報を前記表示手段に表示するように制御する表示制御ステップと、
前記検出しているタッチ入力でのタッチ位置の移動が第１の条件を満たすと、該検出しているタッチ入力でのジェスチャー操作で実行可能な機能を確定すると共に、確定された機能を識別可能に表示するように制御する確定ステップと、
前記確定ステップによる確定の後に、該タッチ入力でのタッチ位置の移動が第２の条件を満たすと前記確定ステップによる確定をキャンセルするキャンセルステップと、
前記確定ステップで機能が確定されている状態で前記タッチ入力が解除されると、前記確定ステップで確定している機能を実行するように制御し、
前記確定ステップによる確定が前記キャンセルステップによってキャンセルされた状態で前記タッチ入力が解除されると、前記ジェスチャー操作に割り当てられたいずれの機能も実行しないように制御する制御ステップと
を有することを特徴とする表示制御装置の制御方法。
【請求項１２】
コンピュータを、請求項１乃至１０のいずれか１項に記載された表示制御装置の各手段として機能させるプログラム。
【請求項１３】
コンピュータを、請求項１乃至１０のいずれか１項に記載された表示制御装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】表示制御装置、表示制御装置の制御方法、プログラム及び記憶媒体
【手続補正３】
【補正対象書類名】明細書
【補正対象項目名】０００１
【補正方法】変更
【補正の内容】
【０００１】
本発明は、タッチパネルへのジェスチャー操作入力のための表示制御装置及び表示制御装置の制御方法に関する。
【手続補正４】
【補正対象書類名】明細書
【補正対象項目名】０００８
【補正方法】変更
【補正の内容】
【０００８】
上記課題を解決するために、本発明の表示制御装置は、
表示手段の表示画面上へのタッチ入力を検出する検出手段と、
前記検出手段で検出しているタッチ入力の移動に応じて、タッチ入力の移動によるジェスチャー操作によって実行可能な機能として割り当てられた機能のうち、該タッチ入力での現在までのタッチ位置の移動で実行可能な機能を表す情報を前記表示手段に表示するように制御する表示制御手段と、
前記検出しているタッチ入力でのタッチ位置の移動が第１の条件を満たすと、該検出しているタッチ入力でのジェスチャー操作で実行可能な機能を確定すると共に、確定された機能を識別可能に表示するように制御する確定手段と、
前記確定手段による確定の後に、該タッチ入力でのタッチ位置の移動が第２の条件を満たすと前記確定手段による確定をキャンセルするキャンセル手段と、
前記確定手段で機能が確定されている状態で前記タッチ入力が解除されると、前記確定手段で確定している機能を実行するように制御し、
前記確定手段による確定が前記キャンセル手段によってキャンセルされた状態で前記タッチ入力が解除されると、前記ジェスチャー操作に割り当てられたいずれの機能も実行しないように制御する制御手段と
を有することを特徴とする。